(57)【特許請求の範囲】
【請求項１】
マンホール用蓋を貫通する挿入孔に挿入されて、胴枠の内周に設けられた係合部と係合することにより前記マンホール用蓋を前記胴枠に固定するためのマンホール用蓋の固定装置であって、
本体とスピンドルとを有し、
前記本体は、長さ方向に伸びる貫通孔を有し前記挿入孔に挿入可能な筒体と、前記筒体に設けられ前記挿入孔の縁部で支持可能な筒張出部と、前記挿入孔に対する前記筒体の回転止めとを有し、
前記スピンドルは、前記貫通孔にその軸線を中心として回転可能に挿入された軸部と、前記軸部に設けられ前記貫通孔の縁部で支持可能な軸張出部と、前記貫通孔より外側に突出するよう前記軸部の側部に設けられ前記軸部の貫通孔内での回転角度により前記筒体の延長上の範囲内に収まる位置と前記筒体の延長上の範囲から突出して前記係合部と係合可能な位置とを有する爪部とを、
有することを特徴とするマンホール用蓋の固定装置。
【請求項２】
前記軸部は前記貫通孔に対しその軸線方向に移動可能に挿入され、前記軸部は長さ方向に伸びる雌ねじ孔を有し、前記軸部の軸張出部側の端部に露出した頭部を有して前記雌ねじ孔と螺合するボルトを有することを、特徴とする請求項１記載のマンホール用蓋の固定装置。
【請求項３】
前記ボルトの頭部に前記ボルトを回転させるための六角穴を有し、前記六角穴の底部に前記ボルトの長さ方向に伸びる邪魔棒を有し、前記軸部は前記軸張出部の対向する側部の凹んだ位置に互いに平行な平坦部を有することを、特徴とする請求項２記載のマンホール用蓋の固定装置。
【請求項４】
貫通する挿入孔を有し、内周に係合部が設けられた胴枠に取り付けられる固定装置を備えたマンホール用蓋であって、
請求項３記載のマンホール用蓋の固定装置の前記筒体が前記挿入孔に挿入された状態で前記固定装置の上端を被覆するキャップを有し、前記キャップは上面にキャップ回転用の複数の凹部を有することを、特徴とする固定装置を備えたマンホール用蓋。
【請求項５】
請求項４記載の固定装置を備えたマンホール用蓋の固定装置を解錠するための施錠解錠装置であって、前記邪魔棒を挿入させた状態で前記六角穴と嵌合して前記ボルトを回転可能な六角筒と、前記平坦部と係合して前記軸部を回転可能な把持部と、前記キャップの複数の凹部と係合して前記キャップを回転可能なキャップ係合部とを、有することを特徴とする施錠解錠装置。
【発明の詳細な説明】
【０００１】
【発明の属する技術分野】
本発明は、マンホール用蓋を貫通する挿入孔に挿入されて、胴枠の内周に設けられた係合部と係合することによりマンホール用蓋を胴枠に固定するためのマンホール用蓋の固定装置、その固定装置を備えたマンホール用蓋およびその施錠解錠装置に関する。
【０００２】
【従来の技術】
従来のマンホール用蓋の固定装置として、実開昭６２−３８９５９号公報および特開２０００−１８６８号公報に記載のものがある。すなわち、前者は、マンホール用蓋のケーシング内に回動具を挿入してカム板部材を回動させることにより、支受部材の係合部との係合または係合解除を行い、ケーシング内に施錠機構を挿入した状態でキーにより施錠機構を施錠可能となっている。後者は、主軸の下端部に枢着された止金を回転させ、胴枠の錠止部と係合させることにより施錠するようになっている。
【０００３】
【発明が解決しようとする課題】
しかしながら、従来のマンホール用蓋の固定装置は、カムやバネを用いる複雑な構造のため、マンホール用蓋に設けられた施錠用の孔に砂等が詰まると、作動不良を起こして解錠に時間がかかり、送電線路の事故などの緊急を要する場合に、即応できない恐れがあるという課題があった。
【０００４】
本発明は、このような従来の課題に着目してなされたもので、簡単な構造から成り、施錠用の孔に砂等が詰まっても良好な作動により速やかな解錠を可能にするマンホール用蓋の固定装置、固定装置を備えたマンホール用蓋およびその施錠解錠装置を提供することを目的としている。
【０００５】
【課題を解決するための手段】
上記目的を達成するために、本発明に関し、マンホール用蓋の固定装置は、マンホール用蓋を貫通する挿入孔に挿入されて、胴枠の内周に設けられた係合部と係合することにより前記マンホール用蓋を前記胴枠に固定するためのマンホール用蓋の固定装置であって、長さ方向に伸びる貫通孔を有し前記挿入孔に挿入可能な本体と、軸部と爪部とを有するスピンドルとを有し、前記軸部は前記貫通孔にその軸線を中心として回転可能に挿入され、前記爪部は前記貫通孔より外側に突出するよう前記軸部の側部に設けられ前記軸部の貫通孔内での回転角度により前記本体を前記挿入孔に挿入したとき前記挿入孔の延長上の範囲内に収まる位置と前記係合部と係合可能な位置とを有することを、特徴とする。
【０００６】
本発明に関するマンホール用蓋の固定装置では、本体をマンホール用蓋の挿入孔に挿入してスピンドルの軸部を貫通孔内で回転させ、爪部を胴枠の内周に設けられた係合部と係合させることによりマンホール用蓋を胴枠に固定し、爪部を挿入孔の延長上の範囲内に収めることによりマンホール用蓋の固定を解除して挿入孔から抜き取ることができる。本発明に関するマンホール用蓋の固定装置は、カムやバネを用いず、簡単な構造のため作動不良を起こしにくく、挿入孔に砂等が詰まっても良好な作動により速やかな解錠を可能にする。
【０００７】
第１の本発明に係るマンホール用蓋の固定装置は、マンホール用蓋を貫通する挿入孔に挿入されて、胴枠の内周に設けられた係合部と係合することにより前記マンホール用蓋を前記胴枠に固定するためのマンホール用蓋の固定装置であって、本体とスピンドルとを有し、前記本体は、長さ方向に伸びる貫通孔を有し前記挿入孔に挿入可能な筒体と、前記筒体に設けられ前記挿入孔の縁部で支持可能な筒張出部と、前記挿入孔に対する前記筒体の回転止めとを有し、前記スピンドルは、前記貫通孔にその軸線を中心として回転可能に挿入された軸部と、前記軸部に設けられ前記貫通孔の縁部で支持可能な軸張出部と、前記貫通孔より外側に突出するよう前記軸部の側部に設けられ前記軸部の貫通孔内での回転角度により前記筒体の延長上の範囲内に収まる位置と前記筒体の延長上の範囲から突出して前記係合部と係合可能な位置とを有する爪部とを、有することを特徴とする。
【０００８】
第１の本発明に係るマンホール用蓋の固定装置では、本体の筒体をマンホール用蓋の挿入孔に挿入し、挿入孔の縁部で筒張出部を支持する。スピンドルの軸部が、軸張出部により貫通孔の縁部で支持される。軸部を貫通孔内で回転させ、爪部を胴枠の内周に設けられた係合部と係合させる。これによりマンホール用蓋を胴枠に固定することができる。軸部を貫通孔内で回転させ、爪部を筒体の延長上の範囲内に収めれば、マンホール用蓋の固定を解除することができる。なお、回転止めにより筒体は挿入孔に対して回転しないようになっているので、軸部を回転させるとき、筒体が軸部とともに回転するのが防止され、胴枠への固定または固定の解除を円滑に行うことができる。第１の本発明に係るマンホール用蓋の固定装置は、カムやバネを用いず、簡単な構造のため作動不良を起こしにくく、挿入孔に砂等が詰まっても良好な作動により速やかな解錠を可能にする。
【０００９】
本発明に関する、または第１の本発明に係るマンホール用蓋の固定装置では、挿入孔の断面が円形の場合、軸部の回転により爪部を係合部と係合させたり係合解除したりするため、貫通孔の軸線が挿入孔の軸線に対し係合部側となる方向に偏心している。
【００１０】
第２の本発明に係るマンホール用蓋の固定装置は、第１の本発明のマンホール用蓋の固定装置において、前記軸部は前記貫通孔に対しその軸線方向に移動可能に挿入され、前記軸部は長さ方向に伸びる雌ねじ孔を有し、前記軸部の軸張出部側の端部に露出した頭部を有して前記雌ねじ孔と螺合するボルトを有することを、特徴とする。
【００１１】
第２の本発明に係るマンホール用蓋の固定装置では、爪部を胴枠の内周に設けられた係合部と係合可能な位置に位置付け、ボルトの頭部を回転させると、軸部は雌ねじ孔がボルトに螺合しているため、貫通孔に沿って移動し、爪部が係合部に対し押し付けられる。マンホール用蓋および胴枠はスピンドルの軸張出部と爪部との間に挟まれて締め付けられるため、マンホール用蓋のガタ付きを防止し、それによる騒音を防止することができる。ボルトの頭部を締付けの際と反対方向に回転させれば、爪部は係合部から離れ、締付けを緩めることができる。
【００１２】
第３の本発明に係るマンホール用蓋の固定装置は、第２の本発明のマンホール用蓋の固定装置において、前記ボルトの頭部に前記ボルトを回転させるための六角穴を有し、前記六角穴の底部に前記ボルトの長さ方向に伸びる邪魔棒を有し、前記軸部は前記軸張出部の対向する側部の凹んだ位置に互いに平行な平坦部を有することを、特徴とする。
【００１３】
第３の本発明に係るマンホール用蓋の固定装置では、邪魔棒を挿入させた状態で六角穴と嵌合可能な六角筒によりボルトの頭部を回転させることにより、爪部を移動させ、マンホール用蓋と胴枠とを締め付けたり緩めたりすることができる。六角穴は嵌合可能な六角筒を有する専用の施錠解錠装置でしか回転させることができないため、関係者以外によるマンホール用蓋の解錠を防止することができる。また、把持部を互いに平行な平坦部と係合させて軸部を回転させることにより、爪部を係合部と係合させたり係合解除したりすることができる。爪部を係合解除した状態で、把持部を平坦部と係合させて本体を挿入孔から引き抜けば、本体の取出しを容易にすることができる。平坦部は軸張出部の側部の凹んだ位置に設けられており、外観上、見えにくいため、関係者以外によるマンホール用蓋の解錠を防止することができる。
【００１４】
本発明に係る固定装置を備えたマンホール用蓋は、貫通する挿入孔を有し、内周に係合部が設けられた胴枠に取り付けられる固定装置を備えたマンホール用蓋であって、第３の本発明のマンホール用蓋の固定装置の前記筒体が前記挿入孔に挿入された状態で前記固定装置の上端を被覆するキャップを有し、前記キャップは上面にキャップ回転用の複数の凹部を有することを、特徴とする。
【００１５】
本発明に係る固定装置を備えたマンホール用蓋は、第３の本発明のマンホール用蓋の固定装置により胴枠に固定可能である。また、キャップにより固定装置に砂等が入るのを防止することができる。キャップは、複数の凹部にキャップ係合部を係合させて回転させることにより容易に開閉することができる。凹部は、貫通孔とは異なり、砂等を通過させないため、キャップの内部に砂等が詰まって作動不良を起こすのを防止することができる。
【００１６】
本発明に係る施錠解錠装置は、本発明の固定装置を備えたマンホール用蓋の固定装置を解錠するための施錠解錠装置であって、前記邪魔棒を挿入させた状態で前記六角穴と嵌合して前記ボルトを回転可能な六角筒と、前記平坦部と係合して前記軸部を回転可能な把持部と、前記キャップの複数の凹部と係合して前記キャップを回転可能なキャップ係合部とを、有することを特徴とする。
【００１７】
本発明に係る施錠解錠装置は、本発明の固定装置を備えたマンホール用蓋の固定装置を施錠または解錠するのに適している。邪魔棒を挿入させて六角筒を六角穴と嵌合させ、六角筒によりボルトの頭部を回転させることにより、爪部を移動させ、マンホール用蓋と胴枠とを締め付けたり緩めたりすることができる。また、把持部を互いに平行な平坦部と係合させて軸部を回転させることにより、爪部を係合部と係合させたり係合解除したりすることができる。爪部を係合解除した状態で、把持部を平坦部と係合させて本体を挿入孔から引き抜けば、本体の取出しを容易にすることができる。
【００１８】
【発明の実施の形態】
以下、図面に基づき本発明の実施の形態について説明する。
図１乃至図８は、本発明の実施の形態を示している。
図３に示すように、円板状のマンホール用蓋１が、外周付近に３個の貫通する挿入孔２を有している。図４乃至図７に示すように、各挿入孔２は上端内周に段部３を有し、段部３の内側でより小径となっている。マンホール用蓋１は、内側にマンホール穴を形成する胴枠４により支持される。円筒状の胴枠４が、縁部に溝５を有し、溝５の内側縁部６が外側縁部７より低くなってマンホール用蓋１を支持可能となっている。マンホール用蓋１の下側周囲には、溝５と係合する環状の突条１ａが設けられている。内側縁部６の内周には、挿入孔２に対応する位置に係合部８が設けられている。係合部８は、内側縁部６の内周の下側を直角に切り欠いて形成されている。なお、図３に示すように、胴枠４およびマンホール用蓋１には、位置決め用のマーク９ａ，９ｂが付けられている。
【００１９】
図４乃至図７に示すように、マンホール用蓋１の固定装置１０が、挿入孔２に着脱可能に挿入されている。マンホール用蓋１の固定装置１０は、マンホール用蓋１を胴枠４に固定するための装置であって、図１に示すように、本体１１とスピンドル１２とキャップ１３とを有している。固定装置１０は、ステンレス鋼、しんちゅうなどの錆に強い材質から成ることが好ましい。
【００２０】
図１に示すように、本体１１は、筒体１４と、筒張出部１５と、回転止め１６とを有している。筒体１４は、円筒状であって、長さ方向に伸びる貫通孔１７を有している。貫通孔１７は、その軸線が筒体１４の軸線に対し係合部側となる方向に偏心して筒体１４の軸線と平行に設けられている。筒体１４は、挿入孔２の小径部分２ａの内径とほぼ一致する外径を有し、挿入孔２の小径部分２ａに挿入可能となっている。筒張出部１５は、筒体１４の端部外周に張り出して設けられ、挿入孔２の段部３の縁部で支持可能となっている。回転止め１６は、スプリングピンから成っている。挿入孔２の段部３には、回転止め１６の外形とほぼ一致する形状の凹部２ｂが設けられている。回転止め１６は、凹部２ｂと係合することにより、挿入孔２に対する筒体１４の回転止めとして機能する。
【００２１】
図１に示すように、スピンドル１２は、軸部２１と、ボルト２２と、軸張出部２３と、爪部２４とを有している。軸部２１は、円筒状であって、貫通孔１７の内径とほぼ一致する外径を有する。軸部２１は、上部２１ａと下部２１ｂとに分かれている。上部２１ａと下部２１ｂとは、係合部２１ｃ，２１ｄにより互いに回転せずに相対移動するよう係合している。軸部２１の上部２１ａおよび下部２１ｂは、貫通孔１７に、その軸線を中心として回転可能であって、貫通孔１７に対しその軸線方向に移動可能に挿入されている。軸部２１の下部２１ｂには、貫通孔１７の内側となる位置の外周にＯリング２５が設けられている。軸部２１の上部２１ａおよび下部２１ｂは、それぞれ中心に長さ方向に伸びて貫通する貫通孔２６ａおよび雌ねじ孔２６ｂを有する。ボルト２２は、軸部２１の上部２１ａの軸張出部側の端部に露出した頭部２２ａを有し、貫通孔２６ａを貫通して雌ねじ孔２６ｂと螺合している。ボルト２２の頭部２２ａの側部には凹部２２ｂが設けられており、浮き上がり防止ボルト２７が軸張出部２３の側部の雌ねじ孔２３ａを貫通して凹部２２ｂと係合している。図２に示すように、ボルト２２は、頭部２２ａにボルトを回転させるための六角穴２２ｃを有し、六角穴２２ｃの底部にボルト２２の長さ方向に伸びる邪魔棒２２ｄを有する。
【００２２】
軸張出部２３は、軸部２１の上部２１ａの上端外周に張り出して設けられ、貫通孔１７の縁部で支持可能となっている。貫通孔２６ａは、上端内周に段部２６ｃを有し、段部２６ｃの内側でより小径となっている。図２に示すように、軸部２１の上部２１ａは、軸張出部２３の対向する側部の凹んだ位置に互いに平行な平坦部２８を有する。
【００２３】
爪部２４は、貫通孔１７より外側に突出するよう軸部２１の下部２１ｂの下端の側部に設けられている。爪部２４は、貫通孔１７の軸線から先端２４ａまでの長さが軸線から最も近い筒体１４の外周位置１４ａまでの長さより長く、軸線から最も遠い筒体１４の外周位置１４ｂまでの長さより短くなっている。これにより、爪部２４は、軸部２１の貫通孔１７内での回転角度により筒体１４の延長上の範囲内に収まる解除位置（図４参照）と筒体１４の延長上の範囲から突出して係合部８と係合可能な係合位置（図５参照）とを有する。解除位置と係合位置とは、互いに１８０度をなす位置関係にある。なお、爪部２４は、筒体１４の延長上の範囲内に収まる解除位置では、筒体１４を挿入孔２の小径部分２ａに挿入したとき挿入孔２の小径部分２ａの延長上の範囲内に収まる。ボルト２２は、貫通孔２６ａおよび雌ねじ孔２６ｂを貫通して軸部２１の下部２１ｂの下端から突出している。ボルト２２の突出した端部には、ストッパナット２９が螺合している。
【００２４】
図１に示すように、キャップ１３は、本体１１の筒張出部１５を被覆可能であって、筒体１４が挿入孔２の小径部分２ａに挿入された状態で固定装置１０の上端を被覆可能である（図７参照）。キャップ１３は、挿入孔２内で固定装置１０の上端に取り付けたとき、挿入孔２内に収まる。キャップ１３は、固定装置１０の上端外周に設けられた雄ねじ１０ａと螺合する雌ねじ１３ａを内周に有している。キャップ１３は、上面にキャップ回転用の３個の円形状の凹部１３ｂを有する。各凹部１３ｂは、キャップ１３の軸線を中心とした正三角形の各頂点上に配置される。
【００２５】
マンホール用蓋１の固定装置１０は、専用の施錠解錠装置３０により解錠可能となっている。施錠解錠装置３０は、図８に示すように、２本の操作棒３１，３２が直角に交差して十字状の形状を有している。一方の操作棒３１は、一端に六角筒３３を有し、他端に把持部３４を有している。六角筒３３は、邪魔棒２２ｄを挿入させた状態で六角穴２２ｃと嵌合してボルト２２を回転可能となっている。把持部３４は、内側に折れ曲がった鉤部３４ａを有し、鉤部３４ａで平坦部２８と係合して軸部２１を回転可能となっている。他方の操作棒３２は、一端にキャップ係合部３５を有し、他端にレバー３６を有している。キャップ係合部３５は、キャップ１３の３個の凹部１３ｂと係合する凸部３５ａを有し、凸部３５ａによりキャップ１３を回転可能となっている。
【００２６】
マンホール用蓋１の固定装置１０によりマンホール用蓋１を胴枠４に固定する場合、まず、マンホール用蓋１を胴枠４の係合位置に位置付ける（図３参照）。係合位置は、胴枠４とマンホール用蓋１との位置決め用のマーク９ａ，９ｂを合わせることにより行う。位置決め後、本体１１の筒体１４をマンホール用蓋１の挿入孔２の小径部分２ａに挿入し、挿入孔２の段部３の縁部で筒張出部１５を支持する（図４参照）。回転止め１６を凹部２ｂと係合させる。スピンドル１２の軸部が、軸張出部２３により貫通孔１７の縁部で支持される。
【００２７】
軸部２１を貫通孔１７内で回転させ、爪部２４を胴枠４の内周に設けられた係合部８と係合可能な位置に位置付ける（図５参照）。これによりマンホール用蓋１を胴枠４に固定することができる。さらに、ボルト２２の頭部２２ａを回転させると、軸部２１の下部２１ｂは雌ねじ孔２６ｂがボルト２２に螺合しているため、貫通孔１７に沿って移動し、爪部２４が係合部８に対し押し付けられる（図６参照）。マンホール用蓋１および胴枠４はスピンドル１２の軸張出部２３と爪部２４との間に挟まれて締め付けられるため、車両などが何台も通過しても、マンホール用蓋１のガタ付きを防止し、それによる騒音を防止することができる。爪部２４によりマンホール用蓋１を締め付けたならば、浮き上がり防止ボルト２７を雌ねじ孔２３ａと螺合させ、ボルト２２を軸部２１の上部２１ａに対し固定する。
【００２８】
キャップ１３を本体１１に取り付ければ、キャップ１３により固定装置１０に砂等が入るのを防止することができる（図７参照）。キャップ１３は、３個の凹部１３ｂにキャップ係合部３５の凸部３５ａを係合させて回転させることにより容易に開閉することができる。凹部１３ｂは、貫通孔１７とは異なり、砂等を通過させないため、キャップ１３の内部に砂等が詰まって作動不良を起こすのを防止することができる。
【００２９】
マンホール用蓋１の固定を解除する場合、まず、キャップ１３を本体１１から取り外す。浮き上がり防止ボルト２７を緩めて、ボルト２２の頭部２２ａを締付けの際と反対方向に回転させれば、爪部２４は係合部８から離れ、締付けを緩めることができる。さらに、軸部２１を貫通孔１７内で回転させ、爪部２４を筒体１４の延長上の範囲内、すなわち、挿入孔２の小径部分２ａの延長上の範囲内に収めれば、マンホール用蓋１の固定を解除することができる。この状態で、マンホール用蓋１の固定装置１０は、爪部２４が邪魔にならずに、挿入孔２から取り出すことができる。なお、回転止め１６により筒体１４は挿入孔２に対して回転しないようになっているので、軸部２１を回転させるとき、筒体１４が軸部２１とともに回転するのが防止され、胴枠４への固定または固定の解除を円滑に行うことができる。
【００３０】
マンホール用蓋１の固定装置１０は、カムやバネを用いず、簡単な構造のため作動不良を起こしにくく、挿入孔２に砂等が詰まっても良好な作動により速やかな解錠を可能にする。このため、地中送電線路の事故などでマンホール内点検および事故点探査をする場合のように緊急を要する場合にも、即応することができる。また、マンホール用蓋１の固定装置１０は、取扱いが容易であり、未熟練者でも従来の固定装置に比べて施錠・解錠にかかる時間が短くて済む。
【００３１】
施錠解錠装置３０は、マンホール用蓋１の固定装置１０を解錠するのに適している。邪魔棒２２ｄを挿入させて六角筒３３を六角穴２２ｃと嵌合させ、六角筒３３によりボルト２２の頭部２２ａを回転させることにより、爪部２４を移動させ、マンホール用蓋１と胴枠４とを締め付けたり緩めたりすることができる。六角穴２２ｃは嵌合可能な六角筒３３を有する専用の施錠解錠装置３０でしか回転させることができないため、関係者以外がいたずらなどでマンホール用蓋１を解錠して外すのを防止することができる。
【００３２】
また、把持部３４を互いに平行な平坦部２８と係合させて軸部２１を回転させることにより、爪部２４を係合部８と係合させたり係合解除したりすることができる。爪部２４を係合解除した状態で、把持部３４を平坦部２８と係合させて本体１１を挿入孔２から引き抜けば、本体１１の取出しを容易にすることができる。平坦部２８は軸張出部２３の側部の凹んだ位置に設けられており、外観上、見えにくいため、関係者以外がいたずらなどでマンホール用蓋１を解錠するのを防止することができる。さらに、キャップ係合部３５の凸部３５ａをキャップ１３の３個の凹部１３ｂと係合させてキャップ１３を回転させれば、キャップ１３を容易に開閉可能である。
【００３３】
【発明の効果】
本発明に係るマンホール用蓋の固定装置、固定装置を備えたマンホール用蓋およびその施錠解錠装置によれば、簡単な構造から成り、施錠用の孔に砂等が詰まっても良好な作動により速やかな解錠が可能となる。
【図面の簡単な説明】
【図１】本発明の実施の形態のマンホール用蓋の固定装置を示す（Ａ）平面図、（Ｂ）正面図、（Ｃ）底面図である。
【図２】図１の固定装置からキャップを外した状態を示す平面図である。
【図３】本発明の実施の形態の固定装置を備えたマンホール用蓋を胴枠に取り付けた状態を示す平面図である。
【図４】図１の固定装置をマンホール用蓋に取り付けた状態を示す断面図である。
【図５】（Ａ）図１の固定装置の平面図および（Ｂ）図１の固定装置を胴枠の係合部と係合させた状態を示す断面図である。
【図６】（Ａ）図１の固定装置の平面図および（Ｂ）図１の固定装置の爪部を締め付けた状態を示す断面図である。
【図７】（Ａ）図１の固定装置のキャップの平面図および（Ｂ）図１の固定装置のキャップを取り付けた状態を示す断面図である。
【図８】図１の固定装置を備えたマンホール用蓋の施錠解錠装置を示す（Ａ）要部平面図、（Ｂ）正面図、（Ｃ）要部側面図である。
【符号の説明】
１  マンホール用蓋
２  挿入孔
４  胴枠
８  係合部
１０  マンホール用蓋の固定装置
１１  本体
１２  スピンドル
１３  キャップ
１４  筒体
１５  筒張出部
１６  回転止め
１７  貫通孔
２１  軸部
２２  ボルト
２３  軸張出部
２４  爪部
２６ａ  貫通孔
２６ｂ  雌ねじ孔
３０  施錠解錠装置
３３  六角筒
３４  把持部
【図１】
0004618947.tif 000002
【図２】
0004618947.tif 000003
【図３】
0004618947.tif 000004
【図４】
0004618947.tif 000005
【図５】
0004618947.tif 000006
【図６】
0004618947.tif 000007
【図７】
0004618947.tif 000008
【図８】
0004618947.tif 000009